(57)【特許請求の範囲】
【請求項１】
冷蔵庫本体を上下に区画する区画壁を有し、前記区画壁にて上部より回転式扉を有する冷蔵室、室温を切り換え可能とした引き出し式扉を有する切り換え室、引き出し式扉を有する冷凍室を形成するとともに、冷凍室と、冷蔵室と、室温を切り換え可能とした切り換え室と、前記冷凍室、冷蔵室、切り換え室内に設けた温度検知手段と、切り換え室の室温を冷凍と冷凍以外の温度帯に切り換える切り換え手段と、冷凍サイクルの圧縮機、冷却器と、前記冷却器で冷却された冷気を強制通風する送風機と、冷凍室より上方に配置し、送風機からの距離が冷凍室より遠く、冷凍室より通風抵抗が大きい切り換え室の入口に設けたダンパー装置と、前記切り換え手段の冷凍設定時以外には、前記冷凍室の温度検知手段に基づいて前記圧縮機および送風機を運転制御し、前記切り換え室の温度検知手段に基づいて前記ダンパー装置を開閉制御する制御手段と、切り換え手段の冷凍設定時には、切り換え室の温度検知手段に基づいて圧縮機および送風機を運転制御するとともにダンパー装置を開閉制御する制御手段とを備えた冷蔵庫。
【請求項２】
切り換え室に引き出し式の容器を備えて、前記容器の上部開口面に調湿手段を一体に備えた蓋体を設けた請求項１記載の冷蔵庫。
【請求項３】
切り換え室の天面に形成した冷気吐出風路と、調湿手段の前方に開口させた冷気吐出口を設けた請求項２記載の冷蔵庫。
【請求項４】
調湿手段に対向して切り換え室の天面に設けた加熱装置と前記加熱装置を切り換え手段の冷凍設定時以外に通電制御する制御手段を備えた請求項２、または３記載の冷蔵庫。
【請求項５】
切り換え室の容器を熱良導性の金属で形成した請求項２、または３、または４記載の冷蔵庫。
【発明の詳細な説明】
【０００１】
【発明の属する技術分野】
本発明は冷凍と冷凍以外の温度帯に切り換え可能とした切り換え室を備えた冷蔵庫に関する。
【０００２】
【従来の技術】
近年、従来よりある冷凍室及び冷蔵庫に加えて、使用者の用途に応じて冷凍，冷蔵、あるいはこれらの中間温度であるパーシャルフリージングやチルドなどの低温の温度帯に切り換えられる切り換え室を備えた冷蔵庫が考えられている。これらの代表例は例えば実公平４−３８２１４号公報にその一例が示されており、以下図８および図９を参照しながら説明を行う。
【０００３】
１は外箱２，内箱３及び前記外箱２，内箱３間の空間に充鎮された断熱材４によって構成された冷蔵庫本体である。５，６は庫内を上下に区画する区画壁である。７は前記区画壁５の上方で本体１の上部に区画形成された冷凍室であり、８は前記区画壁６の下方で本体１の下部に区画形成された冷蔵室である。９は前記冷凍室７と冷蔵室８の中間で区画壁５，６に挟まれて区画形成された切り換え室である。
【０００４】
１０は冷凍サイクルの圧縮機、１１は冷凍室７の背面に収めた冷却器であり、１２は前記冷却器１１で冷却された冷気を庫内に強制通風させるための送風機である。１３は前記切り換え室９に冷気を送り込むためのダクトであり、１４は前記ダクト１３の出口に設けて切り換え室９に必要な冷気量を調節するためのダンパー装置である。１５は切り換え室９内に設けた温度検知手段、１６は冷凍室７内に設けた温度検知手段、１７は切り換え室９の温度を切り換えるための切り換え手段である。
【０００５】
また、１８は切り換え室の温度制御装置であり、１９は切り換え回路、２０はダンパー装置１４の駆動回路、２１，２２はそれぞれ切り換え室を冷蔵，低温に設定する場合の比較回路である。
【０００６】
以上のように構成された冷蔵庫についてその動作を説明する。
まず、切り換え室９を冷蔵とする場合、温度検知手段１５の検知温度に応じた電圧との比較で決定された比較回路２１の出力と、切り換え手段１７の接点ｄ−ｃを介して導通した出力とを併せて切り換え回路１９の出力が決定される。そして、この出力に応じて駆動回路２０によりダンパー装置１４が開閉制御され、冷凍室の温度検知手段１６の出力に基づいて運転制御される圧縮機１０および送風機１２の運転期間中に冷気が導入されて、切り換え室９が冷蔵温度に冷却維持される。
【０００７】
次に、切り換え室９を低温とする場合、温度検知手段１５の検知温度に応じた電圧との比較で決定された比較回路２２の出力と、切り換え手段１７の接点ｄ−ｂを介して導通した出力とを併せて切り換え回路１９の出力が決定される。そして、この出力に応じて駆動回路２０によりダンパー装置１４が開閉制御され、冷凍室の温度検知手段１６の出力に基づいて運転制御される圧縮機１０および送風機１２の運転期間中に冷気が導入されて、切り換え室９がパーシャルフリージングやチルドなどの低温冷蔵温度に冷却維持される。
【０００８】
次に、切り換え室９を冷凍とする場合、切り換え手段１７の接点ｄ−ａを介して導通した出力は温度検知手段１５の出力に関わらず、切り換え回路１９の出力となる。このため、駆動回路２０には常時駆動電圧が印可された状態となり、ダンパー装置１４が強制的に開放され、冷凍室の温度検知手段１６の出力に基づいて運転制御される圧縮機１０および送風機１２の運転期間中に冷気が導入されて、切り換え室９は冷凍温度に冷却される。
【０００９】
【発明が解決しようとする課題】
しかしながら上記の構成では、切り換え室９を冷凍に設定した場合に強制的にダンパー装置１４を開放させるため、切り換え室９の温度が圧縮機１０および送風機１２の運転状態、即ち冷凍室７の温度制御に依存する。このため、切り換え室９の温度がまだ高い状態でも冷凍室７が通常に冷却されていれば冷却作用は停止するなど実用面での問題点があった。さらには、切り換え室９は送風機１２からの距離があり、ダクト１３やダンパー装置１４などを冷却過程に設けて通風抵抗や吸熱損失が大きくなるため、もともと冷凍室７より冷凍温度が高めになってしまうという設計面の問題点も併せ持っていた。
【００１０】
また逆に、切り換え室９の温度が十分に低い場合でも冷凍室７の温度が高い状態では、冷気が導入され続けて切り換え室９が大きく過冷却されてしまうという不合理な点もあった。
【００１１】
本発明は、特に切り換え室の冷凍温度を合理的に適温に維持できる冷蔵庫を提供することを目的としている。
【００１２】
また、上記従来構成はダンパー装置１４からの冷気が切り換え室９内の食品収納空間に直接流入するため、切り換え室９を冷蔵、低温で使用する場合、特に野菜や魚肉類などの生鮮食品の乾燥が促進されて長期間鮮度を維持できないという問題点もあった。
【００１３】
本発明の他の目的は、切り換え室を冷凍以外の温度帯で使用する場合、収納食品の乾燥を抑えて鮮度を長期間維持させることを目的としている。
【００１４】
【課題を解決するための手段】
この目的を達成するために本発明の冷蔵庫は、冷蔵庫本体を上下に区画する区画壁を有し、前記区画壁にて上部より回転式扉を有する冷蔵室、室温を切り換え可能とした引き出し式扉を有する切り換え室、引き出し式扉を有する冷凍室を形成するとともに、冷凍室と、冷蔵室と、室温を切り換え可能とした切り換え室と、前記冷凍室、冷蔵室、切り換え室内に設けた温度検知手段と、切り換え室の室温を冷凍と冷凍以外の温度帯に切り換える切り換え手段と、冷凍サイクルの圧縮機、冷却器と、前記冷却器で冷却された冷気を強制通風する送風機と、冷凍室より上方に配置し、送風機からの距離が冷凍室より遠く、冷凍室より通風抵抗が大きい切り換え室の入口に設けたダンパー装置と、前記切り換え手段の冷凍設定時以外には、前記冷凍室の温度検知手段に基づいて前記圧縮機および送風機を運転制御し、前記切り換え室の温度検知手段に基づいて前記ダンパー装置を開閉制御する制御手段と、切り換え手段の冷凍設定時には、切り換え室の温度検知手段に基づいて圧縮機および送風機を運転制御するとともにダンパー装置を開閉制御する制御手段とを備えたものである。
【００１７】
これにより切り換え手段の設定が冷凍の場合に、切り換え室の温度は冷凍室の温度制御に依存せず過不足なく適温に維持できる。また、冷凍室より冷却損失が大きいという設計上の課題にも対応できる。
【００１８】
また、切り換え室に引き出し式の容器を備えて、容器の上部開口面に調湿手段を一体に備えた蓋体を設けたものである。
【００１９】
これにより、切り換え手段の設定が冷凍以外の場合に、容器に収納された食品から蒸散する水分を保持して乾燥を抑制し、鮮度を維持できる。
【００２０】
【発明の実施の形態】
本発明は冷凍室と、冷蔵室と、切り換え室と、各室内に設けた温度検知手段と、切り換え室の室温を冷凍と冷凍以外の温度帯に切り換える切り換え手段と、圧縮機と、送風機と、切り換え室の入口に設けたダンパー装置と、切り換え手段の設定が冷凍あるいは冷凍以外のいづれの場合でも、冷凍室の温度検知手段に基づいて圧縮機および送風機を運転制御する制御手段と、切り換え室の温度検知手段に基づいてダンパー装置を開閉制御する制御手段を備えたものである。
【００２１】
そして、切り換え手段の設定が冷凍の場合に、冷凍室の温度が高く冷却運転が続く時でも、切り換え室が所定の温度になればダンパー装置が閉じ過冷却されない。
【００２２】
また、冷凍室と、冷蔵室と、切り換え室と、各室内に設けた温度検知手段と、切り換え室の室温を冷凍と冷凍以外の温度帯に切り換える切り換え手段と、圧縮機と、送風機と、切り換え室の入口に設けたダンパー装置と、切り換え手段の冷凍設定時以外には、冷凍室の温度検知手段に基づいて圧縮機および送風機を運転制御し切り換え室の温度検知手段に基づいてダンパー装置を開閉制御する制御手段と、切り換え手段の冷凍設定時には、切り換え室の温度検知手段に基づいて圧縮機および送風機を運転制御するとともにダンパー装置を開閉制御する制御手段を備えたものである。
【００２３】
そして、切り換え手段の設定が冷凍の場合に、切り換え室の温度は、切り換え室自体の温度検知手段に基づいて圧縮機および送風機が運転されダンパー装置が開閉されることにより、冷凍室に依存せず過不足なく適温に実用上維持できるとともに、通風抵抗や吸熱による冷却損失をカバーして設計上の所望温度を確保できる。
【００２４】
また、切り換え室に引き出し式の容器を備えて、容器の上部開口面に調湿手段を一体に備えた蓋体を設けたものである。
【００２５】
そして、切り換え手段の設定が冷凍以外の場合に、容器に収納された食品から蒸散する水蒸気量を調整することにより、野菜などの生鮮食品を高湿状態で保存し鮮度を維持できる。
【００２６】
また、切り換え室の天面に冷気吐出風路を形成し、調湿手段の前方に冷気吐出口を開口させたものである。
【００２７】
そして、切り換え手段の設定が冷凍以外の場合に、調湿手段を過冷却しないようにして調湿特性を安定させるとともに、容器に収納された食品から蒸散して調湿手段より通過する水分が局部的に結露、凍結の発生を抑制するものである。
【００２８】
また、調湿手段に対向して切り換え室の天面に加熱装置を設け、切り換え手段の冷凍設定時以外に通電制御するよう構成したものである。
【００２９】
そして、切り換え手段の設定が冷凍以外の場合に必要に応じて加熱装置に通電されて室温を維持したり、調湿手段より通過する水分の結露、凍結の発生を防止するものである。
【００３０】
また、切り換え室の容器を熱良導性の金属で構成したものである。
そして、切り換え手段の設定が冷凍の場合に、容器に蓋体があっても外周より冷却促進され冷凍速度が速まる。併せて、切り換え手段の設定が冷凍以外の場合に、容器全体からの間接冷却作用が促進されて冷却速度が速まり、保存中の食品の温度むらが抑制されるものである。
【００３１】
【実施例】
以下本発明による冷蔵庫の実施例について、図面を参照しながら説明する。なお、従来と同一構成については、同一符号を付して詳細な説明を省略する。
【００３２】
（実施例１）
図１は、本発明の実施例１による冷蔵庫の縦断面図である。
【００３３】
図１において、２３は冷蔵庫本体である。２４，２５，２６はそれぞれ庫内を上下に区画する区画壁である。２７は前記区画壁２４の上方で本体２３の上部に区画形成された冷蔵室であり、回転式の扉２８を備えている。２９は前記区画壁２４と２５の間に区画形成され引き出し式の扉３０を備えた切り換え室であり、「冷凍」，「冷蔵」のほかパーシャルフリージング（−３℃）、チルド（０℃）などの「低温」の温度帯に任意に切り換え可能に構成されている。３１は前記区画壁２５と２６の間に区画形成された冷凍室であり、引き出し式の扉３２を備えている。３３は前記区画壁２６も下方で本体２３の下部に区画形成された野菜室であり、引き出し式の扉３４を備えている。３５は前記冷蔵室２７内の下部に設けられた主に魚，肉類などを保存する低温室である。
【００３４】
３６は本体底部に設けた冷凍サイクルの圧縮機であり、３７は冷却器、３８は前記冷却器３７で冷却された冷気を庫内に強制通風させるための送風機である。３９は冷蔵室２７，低温室３５に、また４０は前記切り換え室２９に必要な冷気量を送り込むためのダンパー装置である。
【００３５】
４１は冷凍室吐出ダクトであり、一端を前記冷却器３７の近傍に開口し、他端を冷凍室３１に開口している。４２は冷凍室吸い込みダクトであり、一端を冷凍室３１に開口し、他端を冷却器３７の下部近傍に開口している。４３は冷蔵室吐出ダクトであり、一端をダンパー装置３９を介して冷却器３７の近傍に開口し、他端を冷蔵室２７に開口している。４４は冷蔵室吸い込み口であり、冷蔵室吸い込みダクト（図示せず）を介して冷却器３７の下部近傍に連通している。４５は低温室吐出ダクトであり、一端をダンパー装置３９を介して冷却器３７の近傍に開口し、他端を低温室３５に開口している。４６は冷蔵室底部に設けた低温室吸い込み口であり、低温室吸い込みダクト（図示せず）を介して冷却器３７の下部近傍に連通している。４７は切り換え室天面に形成した切り換え室吐出ダクトであり、一端をダンパー装置４０を介して冷却器３７の近傍に開口し、他端を切り換え室２９に開口している。４８は切り換え室吸い込みダクトであり、一端を切り換え室２９に開口し、他端を冷却器３７の下部近傍に開口している。４９は野菜室吐出ダクトであり、一端をダンパー装置３９に連通し、他端を野菜室３３に開口している。５０は野菜室吸い込みダクトであり、一端を野菜室３３に開口し、他端を冷却器３７の下部近傍に開口している。
【００３６】
５１は切り換え室の扉３０と一体に引き出される上面が開口された容器であり、開口部を透湿機能膜などの調湿手段５２を一体に設けた蓋体５３で覆われている。そして、切り換え室天面に形成した前記切り換え室吐出ダクト４７は、その開口部５４を前記調湿手段５２の前方部に位置するよう設定されている。また、５５は調湿手段５２に相対するよう切り換え室２９の天面部に設けたヒーターなどの加熱装置である。
【００３７】
５６は冷蔵室２７内に設けた温度検知手段である。５７は前記温度検知手段により検知された室内温度が設定温度の範囲内かを判断する室内温度判定手段である。５８は前記室内温度判定手段５７の出力に基づいてダンパー装置３９の開閉を指令するダンパー装置制御手段である。５９は切り換え室２９の温度帯を「冷凍」，「冷蔵」，「低温（パーシャルフリージング、チルドなど）」に切り換えるための切り換え手段である。６０は切り換え室２９に設けた温度検知手段である。６１は前記温度検知手段により検知された室内温度が前記切り換え手段５９によって選択された設定温度の範囲内かを判断する室内温度判定手段である。６２は前記室内温度判定手段６０の出力に基づいてダンパー装置４０の開閉を指令するダンパー装置制御手段である。６３は冷凍室３１に設けた温度検知手段である。６４は前記温度検知手段６３により検知された室内温度が設定温度の範囲かを判断する室内温度判定手段である。６５は前記室内温度判定手段６４の出力に基づいて圧縮機３６の運転を指令する圧縮機制御手段であり、６６は室内温度判定手段６４の出力に基づいて送風機３８の運転を指令する送風機制御手段である。そして６７は前記加熱装置５５への通電を指令する加熱装置制御手段である。
【００３８】
かかる構成において、次に図２のフローチャート、図３のタイムチャートをもとにその動作を説明する。
【００３９】
まず、温度検知手段６３により冷凍室３１の温度を検出し（Ｓｔｅｐ１）、室内温度判定手段６４により室内温度がＯＮ／ＯＦＦ設定温度に対して高いか低いかを判断する（Ｓｔｅｐ２）。即ち、室内温度がＯＮ設定温度Ｔ１より高ければ圧縮機制御手段６５により圧縮機３６が運転され（Ｓｔｅｐ３）、同時に送風機制御手段６６により送風機３８が運転される（Ｓｔｅｐ４）。一方、室内温度がＯＦＦ設定温度Ｔ２より低ければ圧縮機３６，送風機３８は運転されない。
【００４０】
次に、温度検知手段５６により冷蔵室２７の温度を検出（Ｓｔｅｐ５）し、室内温度判定手段５７により室内温度がＯＮ／ＯＦＦ設定温度に対して高いか低いかを判断する（Ｓｔｅｐ６）。即ち、室内温度がＯＮ設定温度より高ければ、ダンパー装置制御手段５８によって冷蔵室２７のダンパー装置３９が開放される（Ｓｔｅｐ７）。一方、室内温度がＯＦＦ設定温度より低ければダンパー装置３９は開放されない。
【００４１】
また、切り換え手段５９の設定が「冷凍」と判断されれば（Ｓｔｅｐ８）、温度検知手段６０により切り換え室２９内の温度を検出し（Ｓｔｅｐ９）、室内温度判定手段６１が室内温度が「冷凍」のＯＮ／ＯＦＦ設定温度に対して高いか低いかを判断する（Ｓｔｅｐ１０）。即ち、室内温度がＯＮ設定温度より高ければ、切り換え室のダンパー装置制御手段６２によって切り換え室２９のダンパー装置４０が開放される（Ｓｔｅｐ１１）。一方、室内温度がＯＦＦ設定温度より低ければダンパー装置４０は開放されない。
【００４２】
次に、切り換え手段５９の設定が「冷蔵」と判断されれば（Ｓｔｅｐ１２）、加熱装置制御手段６７によって加熱装置５５に通電制御される（Ｓｔｅｐ１３）。そして、温度検知手段６０により切り換え室２９内の温度を検出し（Ｓｔｅｐ１４）、室内温度判定手段６１が室内温度が「冷蔵」のＯＮ／ＯＦＦ設定温度に対して高いか低いかを判断する（Ｓｔｅｐ１５）。即ち、室内温度がＯＮ設定温度より高ければ、ダンパー装置制御手段６２によって切り換え室２９のダンパー装置４０が開放される（Ｓｔｅｐ１６）。一方、室内温度がＯＦＦ設定温度より低ければダンパー装置４０は開放されない。
【００４３】
またさらに、切り換え手段５９の設定が「低温」と判断されれば（Ｓｔｅｐ１２）、温度検知手段６０により切り換え室２９内の温度を検出し（Ｓｔｅｐ１７）、室内温度判定手段６１が室内温度が「低温」のＯＮ／ＯＦＦ設定温度に対して高いか低いかを判断する（Ｓｔｅｐ１８）。即ち、室内温度がＯＮ設定温度より高ければ、ダンパー装置制御手段６２によって切り換え室の２９ダンパー装置４０が開放される（Ｓｔｅｐ１９）。一方、室内温度がＯＦＦ設定温度より低ければダンパー装置４０は開放されない。
【００４４】
このように、圧縮機３６の運転中は同時に送風機３８も運転され、冷却器３７で冷却された冷気が冷凍室吐出ダクト４１を介して冷凍室３１に吐出され、冷凍室吸い込みダクト４２より冷却器３７に帰還して、冷凍室３１が−１８℃などの適温に維持される。また、ダンパー装置３９を介して冷蔵室吐出ダクト４３より冷蔵室２７に吐出され、冷蔵室吸い込み口４４より冷蔵室吸い込みダクト（図示せず）を介して冷却器３７に帰還して、冷蔵室２７が４℃などの適温に維持される。この時、ダンパー装置３９を通過した冷気の一部は低温室吐出ダクト４５を介して低温室３５に吐出され、低温室吸い込み口４６より低温室吸い込みダクト（図示せず）を介して冷却器３７に帰還して、低温室３５が−３℃などの適温に維持される。また同時に、ダンパー装置３９を通過した冷気の一部は野菜室吐出ダクト４９を介して野菜室３３に吐出され、野菜室吸い込みダクト５０を介して冷却器３７に帰還して、野菜室３３が６℃などの適温に維持される。
【００４５】
一方、冷却器３７で冷却されたが冷気はダンパー装置４０を介して切り換え室吐出ダクト４７より切り換え室２９内に吐出され、切り換え室吸い込みダクト４８を介して冷却器３７に帰還して、切り換え室２９内が設定温度に維持される。この時の室温は、切り換え手段５９によって使用者が任意に選択した設定温度帯によって異なり、「冷凍」を選択した場合はダンパー装置４０の開放時間が長く−１８℃などの適温に冷却される。また「冷蔵」を選択した場合はダンパー装置４０の開放時間が短く、併せて加熱装置５５の適度な加熱作用で４℃などの適温に維持される。さらに「低温」を選択した場合はダンパー装置４０の開放時間が「冷凍」と「冷蔵」間となり、パーシャルフリージング（−３℃）、チルド（０℃）などの適温に冷却される。
【００４６】
このように、切り換え手段５９が「冷凍」を選択された場合は、たとえば冷凍室３１の使用頻度が高く冷凍室３１の室温が高くなった場合、圧縮機３６，送風機３８の運転が継続されるが、切り換え室２９に対してはダンパー装置４０が所定温度で閉鎖されるため不必要に過冷却されることがない（図３斜線部）。
【００４７】
そして、ダンパー装置４０を介して切り換え室吐出ダクト４７より切り換え室２９内に吐出される冷気は、透湿機能膜などの調湿手段５２を一体に設けた蓋体５３で覆われた容器５１の外周を対流しながら容器５１内の食品を間接冷却する。このため、切り換え手段５９によって「冷蔵」を選択した場合には容器５１内に野菜などの生鮮食品を収納することによって食品から蒸散する水分が調整され容器５１内が高湿状態になり、野菜などの鮮度を長期間維持できるため切り換え室２９を本体中央部に位置した使い勝手のよい野菜室として利用できる。また、「低温」を選択した場合にも食品から蒸散する水分で容器５１内の湿度が高まり、食品の乾燥を抑えて保存期間を延長できる。
【００４８】
そして、切り換え室２９の天面に形成した切り換え室吐出ダクト４７は開口部５４を調湿手段５２の前方部に設けているため、吐出される冷気は調湿手段５２の上方を通過して調湿手段５２に直接作用せず容器５１の外周を対流しながら容器５１内の食品を間接冷却する。このため、調湿手段５２の温湿度環境の変化が抑えられて安定した調湿性能が得られ、容器５１内の湿度も安定して食品の保存状態が良好になる。
【００４９】
そして、切り換え室天面には調湿手段５２に対向する位置にヒーターなどの加熱手段５５を設けているため、必要に応じて冷蔵温度を保温維持するための補償機能を果たすと同時に、調湿手段５２から透過する湿気（水分）が天面近傍に結露、凍結することを防止できる。
【００５０】
（実施例２）
図４は、本発明の実施例２による冷蔵庫の縦断面図である。
【００５１】
図４において、６８，６９は切り換え手段５９が「冷蔵」，「低温」を選択された時に、冷凍室３１の室内温度検知手段６３，温度判定手段６４の出力に基づいて圧縮機３６，送風機３８の運転を指令する圧縮機制御手段、送風機制御手段である。また、７０，７１は切り換え手段５９が「冷凍」を選択された時に、切り換え室２９の室内温度検知手段６０，温度判定手段６１の出力に基づいて圧縮機３６，送風機３８の運転を指令する圧縮機制御手段、送風機制御手段である。７２は切り換え手段５９の選択に関わらず、切り換え室２９の室内温度検知手段６０，温度判定手段６１の出力に基づいてダンパー装置４０の開閉を指令するダンパー装置制御手段である。
【００５２】
かかる構成において、次に図５のフローチャート，図６のタイムチャートをもとにその動作を説明する。
【００５３】
まず、切り換え手段５９が「冷蔵」，「低温」を選択された場合（Ｓｔｅｐ１０１）、温度検知手段６３により冷凍室３１内の温度を検出する（Ｓｔｅｐ１０２）。すると、室内温度判定手段６４により室内温度がＯＮ／ＯＦＦ設定温度に対して高いか低いかを判断する（Ｓｔｅｐ１０３）。即ち、室内温度がＯＮ設定温度より高ければ、圧縮機制御手段６８によって圧縮機３６が運転され（Ｓｔｅｐ１０４）、同時に送風機制御手段６９によって送風機３８が運転される（Ｓｔｅｐ１０５）。一方、室内温度がＯＦＦ設定温度より低ければ圧縮機３６，送風機３８は運転されない。
【００５４】
次に、切り換え手段５９が「冷蔵」を選択された場合（Ｓｔｅｐ１０６）、加熱装置制御手段６７により加熱装置５５に通電される（Ｓｔｅｐ１７）。そして、温度検知手段６０によって切り換え室２９内の温度を検出する（Ｓｔｅｐ１０８）。そして、室内温度判定手段６１により切り換え室２９の室内温度が「冷蔵」のＯＮ／ＯＦＦ設定温度に対して高いか低いかを判断する（Ｓｔｅｐ１０９）。その結果、室内温度がＯＮ設定温度より高い場合は、ダンパー装置制御手段７２によって切り換え室２９のダンパー装置４０が開放される（Ｓｔｅｐ１１０）。一方、室内温度がＯＦＦ設定温度より低い場合は切り換え室２９のダンパー装置４０は開放されない。
【００５５】
またさらに、切り換え手段５９の設定が「低温」と判断されたときは（Ｓｔｅｐ１０６）、温度検知手段６０によって切り換え室２９内の温度を検出する（Ｓｔｅｐ１１１）。そして、室内温度判定手段６１によって切り換え室２９の室内温度が「低温」のＯＮ／ＯＦＦ設定温度に対して高いか低いかを判断する（Ｓｔｅｐ１１２）。その結果、室内温度がＯＮ設定温度より高い場合は、ダンパー装置制御手段７２によって切り換え室２９のダンパー装置４０が開放される（Ｓｔｅｐ１１３）。また、室内温度がＯＦＦ設定温度より低い場合は切り換え室２９のダンパー装置４０は開放されない。
【００５６】
一方、切り換え手段５９が「冷凍」を選択された場合（Ｓｔｅｐ１０１）、温度検知手段６０により切り換え室２９内の温度を検出する（Ｓｔｅｐ１１４）。室内温度判定手段６１により室内温度が「冷凍」のＯＮ／ＯＦＦ設定温度に対して高いか低いかを判断する（Ｓｔｅｐ１１５）。即ち、室内温度がＯＮ設定温度Ｔ３より高ければ、圧縮機制御手段７０によって圧縮機３６が運転され（Ｓｔｅｐ１１６）、送風機制御手段７１によって送風機３８が運転される（Ｓｔｅｐ１１７）。これと同時に、ダンパー装置制御手段７２によって切り換え室２９のダンパー装置４０が開放される（Ｓｔｅｐ１１８）。また、室内温度がＯＦＦ設定温度Ｔ４より低ければ圧縮機３６、送風機３８は運転されずダンパー装置４０は開放されない。
【００５７】
次に、切り換え手段５９の設定に関わらず、温度検知手段５６により冷蔵室２７内の温度を検出する（Ｓｔｅｐ１１９）。すると、室内温度判定手段５７により室内温度がＯＮ／ＯＦＦ設定温度に対して高いか低いかを判断する（Ｓｔｅｐ１２０）。即ち、室内温度がＯＮ設定温度より高ければ、ダンパー装置制御手段５８によって冷蔵室２７のダンパー装置３９が開放される（Ｓｔｅｐ１２１）。また、室内温度がＯＦＦ設定温度より低ければ、ダンパー装置３９は開放されない。
【００５８】
このように、切り換え手段５９が「冷蔵」，「低温」を選択された場合、冷凍室３１の温度検知手段６３の出力に基づいて圧縮機３６，送風機３８が運転され、冷却器３７で冷却された冷気が冷凍室吐出ダクト４１を介して冷凍室３１内に吐出され、冷凍室吸い込みダクト４２より冷却器３７に帰還して冷凍室３１内が−１８℃などの適温に維持される。
【００５９】
また、ダンパー装置３９を介して冷蔵室吐出ダクト４３より冷蔵室２７内に吐出され、冷蔵室吸い込み口４４より冷蔵室吸い込みダクト（図示せず）を介して冷却器３７に帰還して、冷蔵室２７内が４℃などの適温に維持される。この時、ダンパー装置３９を通過した冷気の一部は低温室吐出ダクト４５を介して低温室３５内に吐出され、低温室吸い込み口４６より低温室吸い込みダクト（図示せず）を介して冷却器３７に帰還して、低温室３５内が−３℃などの適温に維持される。また同時に、ダンパー装置３９を通過した冷気の一部は野菜室吐出ダクト４９を介して野菜室３３内に吐出され、野菜室吸い込みダクト５０を介して冷却器３７に帰還して、野菜室３３内が６℃などの適温に維持される。
【００６０】
一方、冷却器３７で冷却された冷気はダンパー装置４０を介して切り換え室吐出ダクト４７より切り換え室２９内に吐出され、切り換え室吸い込みダクト４８を介して冷却器３７に帰還して、切り換え室２９内が設定温度に維持される。この時の室温は、切り換え手段５９によって使用者が選択した設定温度帯によって異なり、「冷蔵」を選択した場合はダンパー装置４０の開放時間が短く４℃などの適温に冷却される。また、「低温」を選択した場合はダンパー装置４０の開放時間が延長され、パーシャルフリージング（−３℃），チルド（０℃）などの適温に冷却される。
【００６１】
次に、切り換え手段５９が「冷凍」を選択された場合について述べる。切り換え室２９の温度検知手段６０の出力に基づいて圧縮機３６，送風機３８が運転され、冷却器３７で冷却された冷気がダンパー装置４０を介して切り換え室吐出ダクト４７より切り換え室２９内に連続的に吐出され、切り換え室吸い込みダクト４８を介して冷却器３７に帰還して、切り換え室２９内が−１８℃などの適温に維持される。このとき同時に、冷凍室３１内には冷凍室吐出ダクト４１を介して連続的に冷気が吐出され、冷凍室吸い込みダクト４２より冷却器３７に帰還するが、送風機３８からの距離が近く、ダンパー装置４０もなくて通風抵抗や吸熱損失が切り換え室２９に比べて小さいため、冷凍室３１内も−１８℃以下の適温が確保される。
【００６２】
また、ダンパー装置３９を介して冷蔵室吐出ダクト４３より冷蔵室２７内に吐出され、冷蔵室吸い込み口４４より冷蔵室吸い込みダクト（図示せず）を介して冷却器３７に帰還して、冷蔵室２７が４℃などの適温に維持される。この時、ダンパー装置３９を通過した冷気の一部は低温室吐出ダクト４５を介して低温室３５に吐出され、低温室吸い込み口４６より低温室吸い込みダクト（図示せず）を介して冷却器３７に帰還して、低温室３５が−３℃などの適温に維持される。また同時に、ダンパー装置３９を通過した冷気の一部は野菜室吐出ダクト４９を介して野菜室３３内に吐出され、野菜室吸い込みダクト５０を介して冷却器３７に帰還して、野菜室３３内が６℃などの適温に維持される。
【００６３】
このように、切り換え手段５９が「冷凍」を選択された場合に、切り換え室２９の温度検知手段６０によって圧縮機３６，送風機３８が運転制御されるため、たとえば図３のように、冷凍室３１より切り換え室２９の使用頻度が高く、冷凍室３１の室温は所定温度に到達していても切り換え室２９の室温が所定温度に未だ到達しない場合などは切り換え室２９の室温が所定温度に到達するまで冷却運転を続行して冷却不足を防止することができる。なお、切り換え室２９は送風機３８からの距離があり、ダンパー装置４０などを冷却過程に設けて通風抵抗や吸熱損失が大きくなって設計的に冷凍室３１より冷凍温度が高めになるため、切り換え室２９によって冷却制御をした場合にも切り換え室２９が所定温度に到達すれば冷凍室３１の室温も所定冷凍温度を確保できる。即ち、実用面で切り換え室２９も冷凍室３１も所望の冷凍温度以下に維持することが可能となり、設計面でも切り換え室２９の冷却上のハンデを制御的に補償できるものである。
【００６４】
（実施例３）
図７は、本発明の実施例３による冷蔵庫の縦断面図である。
【００６５】
図７において、７３は切り換え室２９の扉３０と一体に引き出される上面が開口された金属製の容器であり、アルミなど熱良導性の材料で成形されている。また開口部は調湿手段５２を一体に設けた蓋体５３で覆われている。
【００６６】
かかる構成において、まず、切り換え手段５９が「冷蔵」，「低温」を選択された場合について述べる。冷却器３７で冷却された冷気がダンパー装置４０を介して切り換え室吐出ダクト４７より切り換え室２９内に吐出される。吐出された冷気は、透湿機能膜などの調湿手段５２を一体に設けた蓋体５３と金属製の容器７３の外周を対流しながら容器７３内の食品を間接冷却するが、容器７３内に直接冷気の流入がなくても熱良導性の金属容器のため温度むらが少なく、収納した食品が速く所定温度まで冷却される。このため、野菜や魚肉類などの生鮮食品は特に鮮度を維持することができる。
【００６７】
次に、切り換え手段５９が「冷凍」を選択された場合について述べる。冷却器３７で冷却された冷気がダンパー装置４０を介して切り換え室吐出ダクト４７より切り換え室２９内に連続的に吐出される。吐出された冷気は、蓋体５３と金属製の容器７３の外周を対流しながら容器７３内の食品を間接冷却するが、容器７３内に直接冷気の流入がなくても熱良導性の金属容器のため収納した食品が素速く所定冷凍温度まで冷却される。このため、ホームフリージングなどの食品は特に凍結時間が短縮されて冷凍保存品質を向上することができる。
【００６８】
【発明の効果】
以上のように本発明の冷蔵庫は、冷蔵庫本体を上下に区画する区画壁を有し、前記区画壁にて上部より回転式扉を有する冷蔵室、室温を切り換え可能とした引き出し式扉を有する切り換え室、引き出し式扉を有する冷凍室を形成するとともに、冷凍室と、冷蔵室と、室温を切り換え可能とした切り換え室と、前記冷凍室、冷蔵室、切り換え室内に設けた温度検知手段と、切り換え室の室温を冷凍と冷凍以外の温度帯に切り換える切り換え手段と、冷凍サイクルの圧縮機、冷却器と、前記冷却器で冷却された冷気を強制通風する送風機と、冷凍室より上方に配置し、送風機からの距離が冷凍室より遠く、冷凍室より通風抵抗が大きい切り換え室の入口に設けたダンパー装置と、前記切り換え手段の冷凍設定時以外には、前記冷凍室の温度検知手段に基づいて前記圧縮機および送風機を運転制御し、前記切り換え室の温度検知手段に基づいて前記ダンパー装置を開閉制御する制御手段と、切り換え手段の冷凍設定時には、切り換え室の温度検知手段に基づいて圧縮機および送風機を運転制御するとともにダンパー装置を開閉制御する制御手段とを備えたことにより、切り換え手段の設定が冷凍の場合に、切り換え室の温度は冷凍室の温度制御に依存せず過不足なく合理的に適温を維持できる。また、冷凍室より冷却損失が大きいという設計上の課題にも対応して所望温度が得られる。
【００７０】
また、切り換え室に引き出し式の容器を備えて、容器の上部開口面に調湿手段を一体に備えた蓋体を設けたため、切り換え手段の設定が冷凍以外の場合に、容器に収納された食品から蒸散する水分で、野菜，魚肉類などの生鮮食品を高湿状態で保存し鮮度を長期間維持できる。
【００７１】
また、切り換え室の天面に冷気吐出風路を形成し、調湿手段の前方に冷気吐出口を開口させたため、切り換え手段の設定が冷凍以外の場合に、調湿手段か過冷却されず調湿特性が安定し、調湿手段より通過する水分な部的な結露，凍結の発生を抑制するものである。
【００７２】
また、調湿手段に対向して切り換え室の天面に加熱手段を設け、切り換え手段の冷凍設定時以外に通電制御するよう構成したため、切り換え手段の設定が冷凍以外の場合に、外気温度が低下したときなどに通電されて室温を維持し、調湿手段より通過する水分の結露，凍結の発生を防止するものである。
【００７３】
また、切り換え室の容器を熱良導性の金属で構成したものであるため、切り換え手段の設定が冷凍の場合に、容器に蓋体があっても外周より冷却促進され冷凍速度が速まる。併せて、切り換え手段の設定が冷凍以外の場合に、容器全体からの間接冷却作用が促進されて冷却速度が速まり、保存中の食品の温度管理のむらが抑えられて長期間鮮度が維持されるものである。
【図面の簡単な説明】
【図１】本発明による冷蔵庫の実施例１の縦断面図および制御ブロック図
【図２】同実施例１によるフローチャート
【図３】同実施例１におけるタイミングチャート
【図４】本発明による冷蔵庫の実施例２の縦断面図および制御ブロック図
【図５】同実施例２によるフローチャート
【図６】同実施例２におけるタイミングチャート
【図７】本発明による冷蔵庫の実施例３の縦断面図
【図８】従来の冷蔵庫の縦断面図
【図９】従来の冷蔵庫の電気的構成図
【符号の説明】
２７  冷蔵室
２９  切り換え室
３１  冷凍室
３６  圧縮機
３７  冷却器
３８  送風機
４０  切り換え室のダンパー装置
４７  切り換え室の吐出ダクト
５１  容器
５２  調湿手段
５３  蓋体
５４  切り換え室の吐出口
５５  加熱装置
５９  切り換え手段
６０  切り換え室の温度検知手段
６２，７２  切り換え室のダンパー制御手段
６３  冷凍室の温度検知手段
６５，７０  圧縮機制御手段
６６，７１  送風機制御手段
６７  加熱装置制御手段
７３  金属製の容器
【図１】
0003549358.tif 000002
【図２】
0003549358.tif 000003
【図３】
0003549358.tif 000004
【図４】
0003549358.tif 000005
【図５】
0003549358.tif 000006
【図６】
0003549358.tif 000007
【図７】
0003549358.tif 000008
【図８】
0003549358.tif 000009
【図９】
0003549358.tif 000010